(57)【要約】【課題】ビジネスマッチングに伴う手間の低減と時間の短縮、並びに高品質なマッチングを可能にする経営者マッチング方法を提供する。【解決手段】  登録要求に応じて入力された情報を基に、経営者であるか否か判定し、経営者であり、かつ所定の条件を満たした場合に、会員登録をする第１の工程と、登録された会員情報を基に、マッチングする会員同士を特定し、マッチングした会員にマッチング相手の会員の情報を提供する第２の工程と、前記第２の工程により、双方の会員から承諾を得たことを条件に、両会員を紐づける第３の工程と、前記第３の工程の紐づけを得た後に、双方の会員間のメッセージ通信を許可する第４の工程とをコンピュータに実行させる。【選択図】図１
2019160114.tif 000002
【特許請求の範囲】
【請求項１】
登録要求に応じて入力された情報を基に、経営者であるか否か判定し、経営者であり、かつ所定の条件を満たした場合に、会員登録をする第１の工程と、
登録された会員情報を基に、マッチングする会員同士を特定し、マッチングした会員にマッチング相手の会員の情報を提供する第２の工程と、
前記第２の工程により、双方の会員から承諾を得たことを条件に、両会員を紐づける第３の工程と、
前記第３の工程の紐づけを得た後に、双方の会員間のメッセージ通信を許可する第４の工程と
をコンピュータに実行させる経営者マッチングプログラム。
【請求項２】
地域、業種、課題など条件を絞っておすすめの経営者を表示する機能を備えた
請求項１に記載の経営者マッチングプログラム。
【請求項３】
自社課題に対して提案を募集することができる機能を備えた
請求項１に記載の経営者マッチングプログラム。
【請求項４】
経営者のニーズなどの登録情報および、企業規模・業種などからビックデータの解析から、その経営者に必要性と評価が高い商品やサービスのみを表示し、興味がある場合のみ、その商品サービスの経営者とマッチングすることができる機能を備えた
請求項１に記載の経営者マッチングプログラム。
【請求項５】
経営者から新事業の提案募集ができる機能を備えた
請求項１に記載の経営者マッチングプログラム。
【請求項６】
経営者向けのイベント開催機能を備えた
請求項１に記載の経営者マッチングプログラム。
【請求項７】
経営者に対してアンケートやリサーチを行いたい企業に対して、経営者に対してアンケートを行える機能を備えた
請求項１に記載の経営者マッチングプログラム。
【請求項８】
登録された経営者に対する他者評価を表示する機能を備えた
請求項１に記載の経営者マッチングプログラム。
【請求項９】
ポイントを獲得する機能と、
前記ポイントを基に、登録した経営者にオファーを出す機能と
を備えた請求項１に記載の経営者マッチングプログラム。
【請求項１０】
ポイントを獲得する機能と、
前記ポイントを基に、登録した経営者の課題に対しての提案をする機能と
を備えた請求項１に記載の経営者マッチングプログラム。
【請求項１１】
ポイントを獲得する機能と、
前記ポイントを基に、イベントに参加する機能と
を備えた請求項１に記載の経営者マッチングプログラム。
【請求項１２】
ポイントを獲得する機能と、
前記ポイントを基に、登録した経営者にオファーを出す機能と
を備えた請求項１に記載の経営者マッチングプログラム。
【請求項１３】
ポイントを獲得する機能と、
前記ポイントを基に、登録した経営者に相談する機能と
を備えた請求項１に記載の経営者マッチングプログラム。
【請求項１４】
登録要求に応じて入力された情報を基に、経営者であるか否か判定し、経営者であり、かつ所定の条件を満たした場合に、会員登録をする第１の手段と、
登録された会員情報を基に、マッチングする会員同士を特定し、マッチングした会員にマッチング相手の会員の情報を提供する第２の手段と、
前記第２の手段により、双方の会員から承諾を得たことを条件に、両会員を紐づける第３の手段と、
前記第３の手段の紐づけを得た後に、双方の会員間のメッセージ通信を許可する第４の手段と
を有する経営者マッチングシステム。
【請求項１５】
登録要求に応じて入力された情報を基に、経営者であるか否か判定し、経営者であり、かつ所定の条件を満たした場合に、会員登録をする第１の工程と、
登録された会員情報を基に、マッチングする会員同士を特定し、マッチングした会員にマッチング相手の会員の情報を提供する第２の工程と、
前記第２の工程により、双方の会員から承諾を得たことを条件に、両会員を紐づける第３の工程と、
前記第３の工程の紐づけを得た後に、双方の会員間のメッセージ通信を許可する第４の工程と
をコンピュータに実行させる経営者マッチング方法。
【発明の詳細な説明】
【技術分野】
【０００１】
本発明は、経営者マッチングプログラム、そのシステム及びその方法に関するものである。
【背景技術】
【０００２】
企業を取り巻くビジネス環境の激化等に伴い、新たな販路や提携先の開拓を積極的かつ効率的に行う企業ニーズが高まってきた。例えば、企業は、取引先からの紹介や、ビジネス交流会に参加するなどして新たな販路や提携先の開拓を行う。
【先行技術文献】
【特許文献】
【０００３】
【特許文献１】特許第５４５５９９７号公報
【発明の概要】
【発明が解決しようとする課題】
【０００４】
しかしながら、上述した従来の販路や提携先の開拓方法では、限られた人脈や、実際に交流会に参加して会話をした一部の人との間でのみ成立するため、マッチングの成立数を増やすことが難しいという問題がある。
また、ビジネス交流会では、決済権を持たない参加者も多く、手間と時間を要する割には成果が小さいという問題がある。さらには、ある程度会話をしないとお互いのニーズを把握できないため、効率が悪いという問題がある。
【０００５】
本発明はかかる事情に鑑みてなされたものであり、その目的は、ビジネスマッチングに伴う手間の低減と時間の短縮を図ることができる経営者マッチングプログラム、そのシステム及びその方法を提供することである。
また、ビジネスマッチングの質を高めることができる経営者マッチングプログラム、そのシステム及びその方法を提供できる。
【課題を解決するための手段】
【０００６】
本発明の経営者マッチングプログラムは、登録要求に応じて入力された情報を基に、経営者であるか否か判定し、経営者であり、かつ所定の条件を満たした場合に、会員登録をする第１の工程と、登録された会員情報を基に、マッチングする会員同士を特定し、マッチングした会員にマッチング相手の会員の情報を提供する第２の工程と、前記第２の工程により、双方の会員から承諾を得たことを条件に、両会員を紐づける第３の工程と、前記第３の工程の紐づけを得た後に、双方の会員間のメッセージ通信を許可する第４の工程とをコンピュータに実行させる。
【０００７】
本発明の経営者マッチングシステムは、登録要求に応じて入力された情報を基に、経営者であるか否か判定し、経営者であり、かつ所定の条件を満たした場合に、会員登録をする第１の手段と、登録された会員情報を基に、マッチングする会員同士を特定し、マッチングした会員にマッチング相手の会員の情報を提供する第２の手段と、前記第２の手段により、双方の会員から承諾を得たことを条件に、両会員を紐づける第３の手段と、前記第３の手段の紐づけを得た後に、双方の会員間のメッセージ通信を許可する第４の手段とを有する。
【０００８】
本発明の経営者マッチング方法は、登録要求に応じて入力された情報を基に、経営者であるか否か判定し、経営者であり、かつ所定の条件を満たした場合に、会員登録をする第１の工程と、登録された会員情報を基に、マッチングする会員同士を特定し、マッチングした会員にマッチング相手の会員の情報を提供する第２の工程と、前記第２の工程により、双方の会員から承諾を得たことを条件に、両会員を紐づける第３の工程と、前記第３の工程の紐づけを得た後に、双方の会員間のメッセージ通信を許可する第４の工程とをコンピュータに実行させる。
【発明の効果】
【０００９】
本発明によれば、ビジネスマッチングに伴う手間の低減と時間の短縮を図ることができる経営者マッチングプログラム、そのシステム及びその方法を提供できる。
また、本発明によれば、ビジネスマッチングの質を高めることができる経営者マッチングプログラム、そのシステム及びその方法を提供できる。
【図面の簡単な説明】
【００１０】
【図１】図１は、本発明の実施形態の経営者マッチングプログラム、そのシステム及びその方法について説明するための概念図である。
【図２】図２は、本実施形態の機能を実現するサーバの構成図である。
【発明を実施するための形態】
【００１１】
以下、本発明の実施形態に係わる経営者マッチングプログラム、そのシステム及びその方法について説明する。
【００１２】
図１は、本発明の実施形態の経営者マッチングプログラム、そのシステム及びその方法について説明するための概念図である。
本実施形態では、経営者同士の質の高い出会いを基本無料で提供することで、日本最大の経営者プラットフォームを構築し、経営者から提案募集や商品紹介などを行いたい経営者や企業から収益を上げる。
【００１３】
本実施形態は、経営者マッチングアプリプログラムを、経営者の端末装置（スマートフォン等）にダウンロードし、サーバとの通信により実現される経営者のためのマッチングサービスである。
【００１４】
交流会、展示会などビジネスパートナーを探すためにお金を払っている経営者に、ビジネスに繋がる質の高いマッチングや有益な情報を、気軽・無料で提供することで、多くの経営者を獲得する。
登録している経営者の会社・個人のプロフィール情報やアンケートなどによるニーズなどの登録情報、他者による評価情報をビックデータ化させ、その経営者様に必要な経営者・スペシャリストや商品サービスなどをＡＩ（人工知能）を活用してマッチングさせる。
【００１５】
本実施形態の経営者プラットフォームを活用して、従来のビジネスマッチングサービス(交流会、経営団体、テレアポサービス、受発注サイト、顧問サービスなど)を利用していて不満のある経営者様に対して、成果までの時間短縮と大幅なコスト削減ができる有料機能を提供する。
本実施形態を利用したサービスは、例えば、以下の３つの収益の柱で事業を拡大させる。
【００１６】
（１）       経営者ユーザー向けに、成果が大きい、または成果に繋がりやすい経営者との有料なマッチング機能による収益
（２）       経営者ネットワークとビジネスを行いたい企業からの収益化(オープイノベーション、イベント開催、サービス・商品の広告)
（３）       リサーチやデータ活用したい企業からの収益化 (弊社独自の信用力評価点、アンケート調査)
【００１７】
本実施形態は、以下の特徴を有している。
・経営者層のみ参加：
完全審査制により、代表取締役・取締役、執行役員など経営層のみが参加可能です。
・おすすめの経営者をAIが紹介する。
登録情報からAIがおすすめの人をご紹介する。
・相手の信用に繋がる情報：
プロフィール（自己紹介や学歴など）だけでなく、他者評価や行動履歴など相手の信用情報を知ることができる。
【００１８】
・事前にマッチング目的を共有：
相談したい、提携の話をしたいなどマッチング前に目的を相手に提示することができる。
・互いに会いたい場合のみマッチング成立：
自分に興味を持った経営者からオファーが届く。そのオファーに対して、承認した場合のみマッチングが成立するオファー承認制。
・魅力のある経営者同士が繋がる：
相手と連絡をきちんとする方、オファーがたくさん届く方など他者評価、行動履歴により魅力のある経営者同士が繋がる仕組みである。
【００１９】
本実施形態のシステムの機能としては、例えば、以下がある。
・地域や業種など条件を絞っておすすめの経営者を表示する機能：
他の経営者が登録している情報をもとに、特定の業種や地域、課題などの条件を絞っておすすめの経営者を表示することができる。
・自社課題に対して提案を募集することができる機能：
自社の課題（例：マッチングアプリの開発を行いたい）を投稿し、その課題を相談に乗れるもしくは解決できる経営者から提案をもらい、興味のある提案を行う経営者とのみマッチングができる。なお提案を行える企業の地域や業種、評価などを絞ることが可能である。
・自社の商品・サービスを必要な経営者のみとマッチングできる機能：
経営者のニーズなどの登録情報および、企業規模・業種などからビックデータの解析から、その経営者に必要性と評価が高い商品やサービスのみを表示し、興味がある場合のみ、その商品サービスの経営者とマッチングすることができる機能。経営者は、商品・サービスの情報を登録することで、売れる可能性の高い経営者とマッチングすることが可能となる。
【００２０】
・経営者から新事業の提案募集ができる機能（大企業向け機能）：
大企業向けに、本実施形態のシステムに登録した経営者から新事業の提案を行うことができます。提案募集時には業種や地域などから、提案可能な経営者を絞り込んで募集を行うことができる。興味のある経営者の提案のみマッチング成立することが可能で、そのまま管理画面でやりとりを行うことが可能である。
【００２１】
・経営者向けのイベント開催機能：
経営者向けにイベントを行いたい企業に対して本実施形態のシステムに登録した経営者へイベントの告知ができる機能を提供する。対象の経営者の条件によって価格が変動する仕組みとなる。
・経営者向けにアンケート、リサーチ機能：
経営者に対してアンケートやリサーチを行いたい企業に対して、経営者に対してアンケートを行える機能になります。
【００２２】
本実施形態では、「相手」と「目的」の見える化が、価値あるマッチングを生む。マッチングにおける一番の無駄は、「相手がどんな人かが良くわからないでマッチングすること」である。
【００２３】
本実施形態では、マッチングを行う際、事前に互いのプロフィールやマッチングの目的を共有。相手にオファーをする時にも、オファー目的が相手に伝わるようにしている。
相手の自己紹介や職歴などだけでなく、他者評価など「相手」の見える化、情報交換や相手の話を聞きたいなど「目的」の見える化、オファー承認制で、主体的に出会える仕組みを提供している。
【００２４】
また、信頼関係ができてから、ビジネスは始まる。相手が裏切ると分かっていればビジネスを行わないように、信頼関係がない状態ではビジネスは始まらない。
本実施形態デハ、上記のように、価値あるマッチングをうむことで、信頼関係ができやすい質の高いマッチングを提供する。
アプリでは、この質の高いマッチングを実現するために、下記を仕組み化している。
メールを返信しない、遅刻する、相手の話を聞かないなど、社会人として当然なことができない経営者の退会の仕組み。ある一定の基準を満たした経営者同士でマッチングする仕組み。素晴らしい経営者からの学びの場などを提供。
【００２５】
また、本実施形態では、以下のように、経営者ビジネスマッチングアプリでポイントを利用したマッチング促進機能を備えてもよい。
・ポイントで、特に会いたい人にポイントを利用して特別なオファーを送る。
・ポイントを利用して、課題に対して提案する。
・ポイントを利用して、イベントに参加する。
・ポイントを利用して、経営者の方に相談をする。
【００２６】
［サーバ（クラウド）］
上述した本実施形態の機能は、例えば、図２に示す構成を備えたサーバ１０と、登録された経営者の端末装置との間の通信により実現される。
図２に示すように、サーバ１０は、例えば、操作部２５、インタフェース２７、メモリ２９、処理回３１及びデータベース３３を有し、これらがデータライン２０を介して接続されている。
【００２７】
操作部２５は、キーボード、マウス、タッチパネル等の操作手段であり、ユーザの操作に応じた操作信号を処理回路３１に出力する。
インタフェース２７は、端末装置との間の通信を行う。
メモリ２９は、処理回路３１が実行する経営者マッチングプログラム、並びに処理回路３１の処理に使われるデータや処理結果のデータを記憶する。
処理回路３１は、上記経営者マッチングプログラムを実行し、本実施形態で説明する各種の処理を実行する。
データベース３３は、本サービスに用いられる登録された経営者の各種情報やマッチング結果等の情報を格納する。
サーバ１０は、処理回路３１で経営者マッチングプログラムを実行し、経営者の端末装置にインストールされたアプリと連携して、上述した本実施形態の各種機能を実現する。
【００２８】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【産業上の利用可能性】
【００２９】
本発明は経営者マッチングシステムに関する。
【符号の説明】
【００３０】
１０…サーバ
２５…操作部
２７…インタフェース
２９…メモリ
３１…処理回路
３３…データベース
【図１】
2019160114.tif 000003
【図２】
2019160114.tif 000004